(57)【要約】      （修正有）【課題】簡易な構成でありながら、外部の検知部材による検知結果に基づいて判別されるカートリッジの情報量の向上を図ることができるカートリッジ、および、そのカートリッジが装着される画像形成装置を提供する。【解決手段】現像カートリッジ１２に、本体ケーシングからの駆動力により、回転する搬送ギヤ６１と、搬送ギヤ６１の回転に従動し、長尺状に形成される情報付加ベルト６３とを備える。情報付加ベルト６３は、長尺方向において異なる位置に複数の開口部が形成され、その移動方向の下流側端縁が被係合部として区画されるとともに、情報ブロック８０によりパターンとして形成される情報部７２を備える。搬送ギヤ６１の搬送歯６６と情報付加ベルト６３の被係合部との係合により、情報付加ベルト６３を移動させて、情報部７２を、本体ケーシングに設けられる光学式センサによって検知させる。【選択図】図３
2014071260.tif 000002
【特許請求の範囲】
【請求項１】
外部からの駆動力により、回転するように構成される回転体と、
前記回転体の回転に従動するように構成され、長尺状に形成される長尺部材とを備え、
前記長尺部材は、
前記長尺部材の延びる長尺方向において異なる位置に設けられる複数の駆動受動部と、
外部の検知部材により検知されるように構成される被検知部とを備え、
前記回転体は、
前記駆動受動部と接触し、前記回転体の回転による駆動力を前記長尺部材に伝達するように構成される駆動伝達部を備えていることを特徴とする、カートリッジ。
【請求項２】
前記駆動伝達部と前記駆動受動部とは、互いに係合するように構成されていることを特徴とする、請求項１に記載のカートリッジ。
【請求項３】
前記駆動伝達部と前記駆動受動部との接触が解除される接触解除位置に対して前記長尺部材の移動方向の下流側に設けられ、前記長尺部材の少なくとも一部を収容するように構成される収容部を備えていることを特徴とする、請求項１または２に記載のカートリッジ。
【請求項４】
前記被検知部は、
前記駆動伝達部と前記駆動受動部との接触が開始される接触開始位置に対して前記長尺部材の移動方向の下流側において、前記検知部材に検知されるように構成されていることを特徴とする、請求項１〜３のいずれか一項に記載のカートリッジ。
【請求項５】
前記被検知部は、
前記長尺部材の移動方向に対して直交する方向へ突出するように形成され、
前記移動方向に沿ってパターンを形成するように設けられていることを特徴とする、請求項１〜４のいずれか一項に記載のカートリッジ。
【請求項６】
前記被検知部は、前記長尺部材と一体的に設けられ、前記長尺部材に対して折り曲げられることにより形成されていることを特徴とする、請求項５に記載のカートリッジ。
【請求項７】
請求項１〜６のいずれか一項に記載のカートリッジと、
前記カートリッジが装着されるように構成される装置本体とを備え、
前記検知部材が、前記装置本体に設けられていることを特徴とする、画像形成装置。
【請求項８】
前記長尺部材は、
前記カートリッジの最初の使用開始前は、前記駆動伝達部と前記駆動受動部とが離間するように配置され、
前記装置本体は、
前記カートリッジが最初に使用されるために前記装置本体に装着されたときに、前記長尺部材と接触し、前記長尺部材を、前記駆動伝達部と前記駆動受動部とが接触するように移動させる接触部材を備えていることを特徴とする、請求項７に記載の画像形成装置。
【請求項９】
前記回転体は、
前記長尺部材の移動終了時において、前記駆動伝達部と前記駆動受動部との接触が解除され、空転するように構成されていることを特徴とする、請求項７または８に記載の画像形成装置。
【請求項１０】
前記長尺部材には、前記長尺部材の移動方向の下流側端縁が前記駆動受動部として区画され、前記移動方向に互いに間隔を隔てて配置される複数の開口部が形成され、
前記複数の開口部は、
前記駆動伝達部の離脱が許容され、前記回転体の前記空転が規制される大きさに形成される複数の第１開口部と、
前記複数の第１開口部に対して前記移動方向の上流側に配置され、前記駆動伝達部の離脱および前記回転体の前記空転が許容される大きさに形成される第２開口部とを備えていることを特徴とする、請求項９に記載の画像形成装置。
【請求項１１】
前記回転体が前記第２開口部によって空転することにより、前記被検知部が前記検知部材により検知される位置で、前記長尺部材の移動が終了することを特徴とする、請求項１０に記載の画像形成装置。
【発明の詳細な説明】
【技術分野】
【０００１】
本発明は、電子写真方式が採用される画像形成装置、および、その画像形成装置に装着されるカートリッジに関する。
【背景技術】
【０００２】
従来より、カートリッジが着脱自在に装着される電子写真方式のプリンタが知られている。このようなプリンタでは、装着されたカートリッジの情報（例えば、現像カートリッジが新品であるか否かなど）を判断するための新品検出手段を備えている。
【０００３】
例えば、現像カートリッジに回転可能に設けられる検出ギヤに、本体ケーシング内のアクチュエータに当接される当接突起を設け、現像カートリッジが本体ケーシングに装着されたときに、検出ギヤを回転駆動させて、当接突起によってアクチュータを揺動させるとともに、光センサによってアクチュエータの揺動を検出し、その検出結果に基づいて、現像カートリッジの情報を判断するレーザプリンタが提案されている（例えば、特許文献１参照。）。
【先行技術文献】
【特許文献】
【０００４】
【特許文献１】特開２００６−２６７９９４号公報
【発明の概要】
【発明が解決しようとする課題】
【０００５】
しかるに、特許文献１に記載の現像カートリッジでは、現像カートリッジの情報に対応する当接突起が、検出ギヤに設けられているので、現像カートリッジの情報量の向上を図るには制約がある。
【０００６】
そこで、本発明の目的は、簡易な構成でありながら、外部の検知部材による検知結果に基づいて判別されるカートリッジの情報量の向上を図ることができるカートリッジ、および、そのカートリッジが装着される画像形成装置を提供することにある。
【課題を解決するための手段】
【０００７】
（１）上記した目的を達成するために、本発明のカートリッジは、外部からの駆動力により、回転するように構成される回転体と、回転体の回転に従動するように構成され、長尺状に形成される長尺部材とを備えている。
【０００８】
長尺部材は、長尺部材の延びる長尺方向において異なる位置に設けられる複数の駆動受動部と、外部の検知部材により検知されるように構成される被検知部とを備えている。
【０００９】
回転体は、駆動受動部と接触し、回転体の回転による駆動力を長尺部材に伝達するように構成される駆動伝達部を備えている。
【００１０】
このような構成によれば、被検知部が長尺状に形成される長尺部材に備えられているので、被検知部が設けられる領域を長く確保できる。
【００１１】
また、長尺部材には、回転体の回転時において駆動伝達部と駆動受動部とが接触し、回転体からの駆動力が伝達される。これにより、長尺部材が回転体の回転に従動され、長い領域に設けられる被検知部が外部の検知部材により検知される。
【００１２】
従って、被検知部をカートリッジの情報と対応するように設ければ、簡易な構成でありながら、外部の検知部材による検知結果に基づいて判別されるカートリッジの情報量の向上を図ることができる。
（２）また、駆動伝達部と駆動受動部とは、互いに係合するように構成されていてもよい。
【００１３】
このような構成によれば、駆動伝達部と駆動受動部とが互いに係合するので、回転体の回転による駆動力を長尺部材に確実に伝達することができる。
（３）また、駆動伝達部と駆動受動部との接触が解除される接触解除位置に対して長尺部材の移動方向の下流側に設けられ、長尺部材の少なくとも一部を収容するように構成される収容部を備えていてもよい。
【００１４】
このような構成によれば、接触解除位置に対して移動方向の下流側に収容部が設けられているので、長尺部材の少なくとも一部が、長尺部材の従動（移動）に伴って、収容部に順次収容される。
【００１５】
しかるに、長尺部材は、接触解除位置を通過した後、湾曲し回転体と接触する場合がある。そうすると、長尺部材と回転体との接触により、回転体の回転や長尺部材の従動（移動）が阻害される場合がある。
【００１６】
一方、上記の構成によれば、長尺部材の少なくとも一部が収容部に順次収容されるので、長尺部材が、接触解除位置を通過した後、回転体と接触することを抑制できる。また、長尺部材の少なくとも一部が収容部に収容されるので、長尺部材の効率的な配置を確保でき、カートリッジの小型化を図ることができる。
【００１７】
とりわけ、駆動伝達部と駆動受動部とが互いに係合するように構成されている場合、長尺部材は、駆動伝達部と駆動受動部との係合が可能となる剛性を有する。そのため、長尺部材をコンパクトに配置することが困難となり、カートリッジの小型化を図ることが困難となる場合がある。
【００１８】
一方、上記の構成によれば、長尺部材の少なくとも一部が収容部に収容され、長尺部材の効率的な配置を確保できるので、駆動伝達部と駆動受動部とが互いに係合するように構成されている場合であっても、カートリッジの小型化を図ることができる。
（４）また、被検知部は、駆動伝達部と駆動受動部との接触が開始される接触開始位置に対して長尺部材の移動方向の下流側において、検知部材に検知されるように構成されていてもよい。
【００１９】
このような構成によれば、被検知部と検知部材との相対的な位置精度の向上を図ることができるので、検知部材による被検知部の検知精度の向上を図ることができる。
（５）また、被検知部は、長尺部材の移動方向に対して直交する方向へ突出するように形成され、移動方向に沿ってパターンを形成するように設けられていてもよい。
【００２０】
このような構成によれば、被検知部が移動方向に対して直交するように突出して形成されているので、被検知部を検知部材に確実に検知させることができる。
【００２１】
また、被検知部が移動方向に沿ってパターンを形成するように設けられているので、カートリッジの情報量のさらなる向上を図ることができる。
（６）また、被検知部は、長尺部材と一体的に設けられ、長尺部材に対して折り曲げられることにより形成されていてもよい。
【００２２】
このような構成によれば、被検知部と長尺部材とが別部材から形成される場合と比較して、部品点数の低減を図ることができるとともに、簡易な加工により被検知部を形成することができる。
（７）本発明の画像形成装置は、上記のカートリッジと、カートリッジが装着されるように構成される装置本体とを備えている。検知部材は、装置本体に設けられている。
【００２３】
このような構成によれば、上記のカートリッジを備えているので、簡易な構成でありながら、カートリッジの情報量の向上を図ることができ、かつ、そのカートリッジの情報を、装置本体に設けられている検知部材により検知させることができる。
【００２４】
そのため、簡易な構成でありながら、検知部材による検知結果に基づいて判別されるカートリッジの情報量の向上を図ることができる。
（８）また、長尺部材は、カートリッジの最初の使用開始前は、駆動伝達部と駆動受動部とが離間するように配置されていてもよい。この場合、装置本体は、カートリッジが最初に使用されるために装置本体に装着されたときに、長尺部材と接触し、長尺部材を、駆動伝達部と駆動受動部とが接触するように移動させる接触部材を備えている。
【００２５】
しかるに、カートリッジの製造途中にカートリッジの駆動検査を実施する場合、長尺部材を、回転体の駆動伝達部と長尺部材の駆動受動部とが離間するように配置させる必要がある。一方、カートリッジの最初の使用時においては、長尺部材を、駆動伝達部と駆動受動部とが接触するように配置させる必要がある。
【００２６】
そこで、カートリッジの製造工程における駆動検査の後に、長尺部材を移動させ、駆動伝達部と駆動受動部とが接触するように配置する必要があるが、そのように配置する工程を増やすと、カートリッジの製造工程が煩雑となる。
【００２７】
これに対して、上記の構成によれば、装置本体が接触部材を備えているので、カートリッジが最初に使用されるために装置本体に装着されたときに、長尺部材は、接触部材に接触されることにより、駆動伝達部と駆動受動部とが接触するように移動される。
【００２８】
そのため、カートリッジの製造工程の煩雑化を抑制しながら、カートリッジの駆動検査を実施することができる。
（９）また、回転体は、長尺部材の移動終了時において、駆動伝達部と駆動受動部との接触が解除され、空転するように構成されていてもよい。
【００２９】
このような構成によれば、回転体が、長尺部材の移動終了時において、空転するように構成されていているので、長尺部材が、その移動終了後、さらに移動することを抑制できる。そのため、長尺部材の移動終了後において、被検知部を所定の位置に、確実に配置することができる。
（１０）また、長尺部材には、長尺部材の移動方向の下流側端縁が駆動受動部として区画され、移動方向に互いに間隔を隔てて配置される複数の開口部が形成されていてもよい。
【００３０】
複数の開口部は、駆動伝達部の離脱が許容され、回転体の空転が規制される大きさに形成される複数の第１開口部と、複数の第１開口部に対して移動方向の上流側に配置され、駆動伝達部の離脱および回転体の空転が許容される大きさに形成される第２開口部とを備えていてもよい。
【００３１】
このような構成によれば、長尺部材は、複数の第１開口部のそれぞれに区画される駆動受動部と駆動伝達部とが接触したときに、回転体から駆動力が伝達され、駆動伝達部が第１開口部から離脱されたときに、回転体から駆動力の伝達が解除される。
【００３２】
そのため、簡易な構成でありながら、長尺部材を一定速度で搬送することができ、検知部材による被検知部の検知精度の向上を図ることができる。
【００３３】
また、長尺部材には、複数の第１開口部に対して移動方向の上流側に、第２開口部が形成されているので、長尺部材が移動することにより、回転体が第２開口部と対向すると、回転体は空転する。
【００３４】
そのため、長尺部材が、その移動終了後、さらに移動することを確実に抑制でき、長尺部材の移動終了後において、被検知部を所定の位置に確実に配置することができる。
（１１）また、回転体が第２開口部によって空転することにより、被検知部が検知部材により検知される位置で、長尺部材の移動が終了してもよい。
【００３５】
このような構成によれば、長尺部材の移動が終了したときに、被検知部が検知部材により検知される位置に配置されているので、被検知部を検知部材によって、カートリッジの情報（例えば、装置本体に対してカートリッジが装着されているか否かなど）を判別するために検知させることができる。
【発明の効果】
【００３６】
本発明によれば、簡易な構成でありながら、検知部材による検知結果に基づいて判別されるカートリッジの情報量の向上を図ることができる。
【図面の簡単な説明】
【００３７】
【図１】図１は、本発明の画像形成装置の一実施形態であるプリンタの中央断面図を示す。
【図２】図２は、図１に示すプリンタの現像カートリッジの左側面図である。
【図３】図３は、図２に示す現像カートリッジのギヤカバーを取り外した状態（使用開始前）を示す左側面図である。
【図４】図３に示す現像カートリッジに装着される情報付加ベルトの斜視図である。
【図５】図５は、図３に示す現像カートリッジにおいて、情報付加ベルトの移動状態を示す左側面図であって、（ａ）は、情報付加ベルトが接触開始位置にある状態、（ｂ）は、情報付加ベルトが移動途中にある状態を示す。
【図６】図６は、図５に続いて、情報付加ベルトの移動状態を示す左側面図であって、（ａ）は、情報付加ベルトが移動途中にある状態、（ｂ）は、情報付加ベルトが接触解除位置にある状態を示す。
【発明を実施するための形態】
【００３８】
１．プリンタの全体構成
図１に示すように、画像形成装置の一例としてのプリンタ１は、略ボックス形状の装置本体の一例としての本体ケーシング２を備えている。
【００３９】
本体ケーシング２の一方側の側壁には、本体開口部３を開閉するフロントカバー４が、その下端部を支点として揺動可能に設けられている。
【００４０】
なお、以下の説明では、フロントカバー４が設けられる一方側（図１における右側）を前側とし、その反対側（図１における左側）を後側とする。また、プリンタ１を前側から見たときを基準として左右を規定する。さらに、現像カートリッジ１２（後述）に関しても、本体ケーシング２に対する装着状態を基準として前後左右上下を規定する。
【００４１】
なお、前後方向を第１方向とし、その一方側を前側、他方側を後側とし、左右方向を第２方向とし、その一方側を右側、他方側を左側とし、上下方向を第３方向とし、その一方側を上側、他方側を下側とする。
【００４２】
このプリンタ１は、プロセスカートリッジ１０を備えている。
【００４３】
プロセスカートリッジ１０は、本体ケーシング２に着脱自在に装着されるドラムカートリッジ１１と、そのドラムカートリッジ１１に着脱自在に装着される、カートリッジの一例としての現像カートリッジ１２とを備えている。
【００４４】
ドラムカートリッジ１１は、感光ドラム１３と、感光ドラム１３に上方から間隔を隔てて対向するスコロトロン型帯電器１４と、感光ドラム１３に下方から接触するように対向する転写ローラ１５とを備えている。
【００４５】
現像カートリッジ１２は、本体ケーシング２に装着されたドラムカートリッジ１１に対して着脱可能であり、これによって、現像カートリッジ１２は、本体ケーシング２に対して着脱可能とされる。また、現像カートリッジ１２は、筺体１６を備えている。
【００４６】
筺体１６内には、トナー収容室１７と現像室１８とが前後方向に並列して区画されている。
【００４７】
トナー収容室１７には、トナーが収容され、その前後上下方向略中央部分には、アジテータ１９が設けられている。
【００４８】
アジテータ１９は、左右方向に延びるアジテータ軸２０と、アジテータ軸２０からアジテータ軸２０の径方向外側に延びる攪拌羽根２１とを備えている。アジテータ軸２０の両端部が、筺体１６の両側壁３５(図３参照)に回転可能に支持されることによって、アジテータ１９が筺体１６に支持されている。アジテータ軸２０の両端部は、筺体１６の両側壁３５(図３参照)から左右方向外側に露出している(図３参照)。
【００４９】
現像室１８には、現像ローラ２２、供給ローラ２３および層厚規制ブレード２４が設けられている。
【００５０】
現像ローラ２２は、左右方向に延びる現像ローラ軸２５と、その両端部が露出するように現像ローラ軸２５を被覆するゴムローラ２６とを備えている。
【００５１】
現像ローラ２２は、ゴムローラ２６が筺体１６の後側から露出するように配置されるとともに、現像ローラ軸２５の両端部が、筺体１６の両側壁３５(図３参照)に回転可能に支持されることによって、筺体１６に支持されている。現像ローラ軸２５の両端部は、筺体１６の両側壁３５(図３参照)から左右方向外側に露出している(図３参照)。
【００５２】
供給ローラ２３は、左右方向に延びる供給ローラ軸２７と、その両端部が露出するように供給ローラ軸２７を被覆するスポンジローラ２８とを備えている。
【００５３】
供給ローラ２３は、スポンジローラ２８がゴムローラ２６に前下側から圧接するように配置されるとともに、供給ローラ軸２７の両端部が、筺体１６の両側壁３５(図３参照)に回転可能に支持されることによって、筺体１６に支持されている。供給ローラ軸２７の両端部は、筺体１６の両側壁３５(図３参照)から左右方向外側に露出している(図３参照)。
【００５４】
層厚規制ブレード２４は、現像ローラ２２に前上側から接触するように、筺体１６に支持されている。
【００５５】
トナー収容室１７内のトナーは、アジテータ１９の回転により、現像室１８内の供給ローラ２３に供給される。供給ローラ２３に供給されたトナーは、供給ローラ２３の回転により、現像ローラ２２に供給される。このとき、トナーは、供給ローラ２３と現像ローラ２２との間で正極性に摩擦帯電され、層厚規制ブレード２４により厚さが規制され、一定厚さの薄層として現像ローラ２２の周面上に担持される。
【００５６】
一方、感光ドラム１３の表面は、感光ドラム１３の回転に伴って、スコロトロン型帯電器１４により一様に正帯電される。そして、その正帯電した感光ドラム１３の表面に、本体ケーシング２の上部に設けられるスキャナユニット５からのレーザビーム（鎖線参照）が選択的に照射されることにより、画像データに基づく静電潜像が形成される。
【００５７】
そして、現像ローラ２２の表面に担持されている正帯電トナーが、感光ドラム１３の表面に形成されている静電潜像に供給されることにより、感光ドラム１３の表面にトナー像が担持される。
【００５８】
用紙Ｓは、本体ケーシング２の底部に着脱自在に装着される給紙トレイ６内に収容されており、ピックアップローラ７によって、Ｕターンパスからなる給紙パス８に搬送されて、所定のタイミングで１枚ずつ、感光ドラム１３と転写ローラ１５との間に給紙される。そして、用紙Ｓには、感光ドラム１３と転写ローラ１５との間を搬送されるときに、トナー像が転写され、画像が形成される。
【００５９】
そして、用紙Ｓは、本体ケーシング２の後部に設けられる加熱ローラ３０と加圧ローラ３１との間を通過するときに加熱および加圧される。このとき、用紙Ｓには、画像が熱定着される。
【００６０】
その後、用紙Ｓは、排紙ローラ３２に向けて搬送され、排紙ローラ３２によって、本体ケーシング２の上面に形成された排紙トレイ３３上に排紙される。
２．現像カートリッジの詳細
現像カートリッジ１２は、図２および図３に示すように、筺体１６の左側に配置される駆動・検知ユニット３６を備えている。
（１）筺体
筺体１６は、左右方向に延びる略ボックス形状に形成されており、左右方向に互いに間隔を隔てて対向する１対の側壁３５を備えている。また、筺体１６の後側は開放され、上記したように現像ローラ２２が露出している。
（２）駆動・検知ユニット
駆動・検知ユニット３６は、左側の側壁３５の左側面（外側面）に設けられており、ギヤカバー３７、ギヤトレイン３８およびベルト搬送部３９を備えている。
（２−１）ギヤカバー
ギヤカバー３７は、図２に示すように、側面視において、左側の側壁３５とほぼ同一形状およびサイズに形成されており、ギヤトレイン３８を左側から覆う平板形状のカバープレート４０と、カバープレート４０の周端縁から右側に突出する周側壁４１とを一体的に備えている。すなわち、ギヤカバー３７は、上下方向および前後方向に切断したときの断面形状がコ字形状となる、右側が開放される凹形状に形成されている。
【００６１】
カバープレート４０には、その後端部に、現像ローラ軸２５が挿通される現像ローラ軸挿通穴４２、その略中央より後側に、入力ギヤ４５のカップリング部５２（後述）が挿通されるカップリング挿通穴４３が、カバープレート４０を左右方向に貫通するように、それぞれ形成されている。
【００６２】
また、カバープレート４０には、その前端部に、情報付加ベルト６４の情報部７２の通過を検知するための検知窓４４が設けられている。
【００６３】
なお、後で詳述するが、カバープレート４０の右側面（内側面）には、搬送ガイド６２が設けられている。
【００６４】
また、ギヤカバー３７の上端部には、上下方向に段差が形成されており、その段差が形成される部分においては、周側壁４１が開口されることにより、後述する情報付加ベルト６４の挿通口５０が形成されている。
【００６５】
ギヤカバー３７は、ギヤトレイン３８およびベルト搬送部３９を覆うように、左側の側壁３５に対して左側から取り付けられている。これによって、カバープレート４０の現像ローラ軸挿通穴４２から現像ローラ軸２５が露出され、カップリング挿通穴４３からカップリング部５２（後述）が露出される。また、検知窓４４からは、情報付加ベルト６４の情報部７２の通過が検知可能となる。
（２−２）ギヤトレイン
ギヤトレイン３８は、図３に示すように、入力ギヤ４５、現像ギヤ４６、供給ギヤ４７、アイドルギヤ４８およびアジテータギヤ４９を備えている。
【００６６】
入力ギヤ４５は、左側の側壁３５の略中央より後側において、左側の側壁３５に回転可能に支持されている。入力ギヤ４５は、ギヤ部５１と、カップリング部５２とを一体的に備えている。
【００６７】
ギヤ部５１は、入力ギヤ４５の右側部分に設けられている。ギヤ部５１は、右側に配置される大径ギヤ５３と、左側に配置される小径ギヤ５４とが一体的に形成される２段ギヤからなる。大径ギヤ５３および小径ギヤ５４の周面には、その全周にわたって、ギヤ歯が形成されている。
【００６８】
カップリング部５２は、入力ギヤ４５の左側部分に設けられ、ギヤ部５１（小径ギヤ５４）より小径であり、かつ、ギヤ部５１と中心軸線を共有する略円筒形状に形成されている。カップリング部５２の内側面には、結合凹部５５が形成されている。
【００６９】
結合凹部５５には、現像カートリッジ１２が本体ケーシング２内に装着された状態で、本体ケーシング２内に備えられる本体カップリング（図示せず）が相対回転不能に挿入（係合または嵌合）される。
【００７０】
現像ギヤ４６は、入力ギヤ４５の後側に配置され、現像ローラ軸２５の左端部に相対回転不能に取り付けられている。現像ギヤ４６の周面には、その全周にわたって、ギヤ歯が形成されており、現像ギヤ４６は、入力ギヤ４５の大径ギヤ５３に対して後側から噛合されている。
【００７１】
供給ギヤ４７は、入力ギヤ４５の下側に配置され、供給ローラ軸２７の左端部に相対回転不能に取り付けられている。供給ギヤ４７の周面には、その全周にわたって、ギヤ歯が形成されており、供給ギヤ４７は、入力ギヤ４５の小径ギヤ５４に対して下側から噛合されている。
【００７２】
アイドルギヤ４８は、入力ギヤ４５の前上側において、左側の側壁３５に回転可能に支持されている。アイドルギヤ４８は、右側から左側に向かって順次配置される小径ギヤ５６、スペーサ５８および大径ギヤ５７から一体的に形成されている。
【００７３】
スペーサ５８は、左右方向に延びる略円柱形状に形成され、その外径が、小径ギヤ５６の外径よりも大きく、かつ、大径ギヤ５７の外径よりも小さくなるように形成されている。また、スペーサ５８の左右方向長さは、情報付加ベルト６４（後述）のベルト部７１（後述）の左右方向長さよりも長く形成されている。これにより、左右方向において、小径ギヤ５６と大径ギヤ５７との間には、情報付加ベルト６４（後述）が通過可能なスペースが確保されている。
【００７４】
小径ギヤ５６および大径ギヤ５７の周面には、その全周にわたって、ギヤ歯が形成されている。アイドルギヤ４８の大径ギヤ５７は、入力ギヤ４５の小径ギヤ５４に対して前上側から噛合されている。
【００７５】
アジテータギヤ４９は、入力ギヤ４５の前下側に配置され、アジテータ軸２０の左端部に相対回転不能に取り付けられている。アジテータギヤ４９の周面には、その全周にわたって、ギヤ歯が形成されており、アジテータギヤ４９は、アイドルギヤ４８の小径ギヤ５６に対して下側から噛合されている。
【００７６】
そして、ギヤトレイン３８では、現像カートリッジ１２が本体ケーシング２内に装着された状態において、カップリング部５２の結合凹部５５に、本体ケーシング２内に備えられる本体カップリング（図示せず）が相対回転不能に挿入（係合または嵌合）されると、本体ケーシング２から入力ギヤ４５に駆動力が入力される。これにより、入力ギヤ４５は、左側面視時計方向に回転駆動される（図３矢印参照）。
【００７７】
そして、入力ギヤ４５の大径ギヤ５３に噛合する現像ギヤ４６が左側面視反時計方向に回転し、現像ローラ２２が回転される。また、入力ギヤ４５の小径ギヤ５４に噛合する供給ギヤ４７が左側面視反時計方向に回転し、供給ローラ２３が回転される。
【００７８】
また、入力ギヤ４５の小径ギヤ５４に噛合するアイドルギヤ４８の大径ギヤ５７が、左側面視反時計方向に回転し、さらに、アイドルギヤ４８の小径ギヤ５６に噛合するアジテータギヤ４９が、左側面視時計方向に回転し、アジテータ１９が回転される。
（２−３）ベルト搬送部
ベルト搬送部３９は、回転体の一例としての搬送ギヤ６１と、搬送ガイド６２と、ベルト収容部６３と、情報付加ベルト６４とを備えている。
（２−３−１）搬送ギヤ
搬送ギヤ６１は、筒部６５と、その筒部６５から径方向に突出する、駆動伝達部の一例としての搬送歯６６とを備えている。搬送歯６６は、筒部６５の周方向において、互いに略９０°の間隔を隔てて４つ設けられている。各搬送歯６６は、略矩形状に形成され、その遊端部が、搬送ギヤ６１の回転方向下流側に向かうに従って、径方向外方へ突出する傾斜端面として形成されている。
【００７９】
搬送ギヤ６１は、筒部６５が、アジテータギヤ４９の左側において、アジテータ軸２０の左端部に相対回転不能に外嵌されることにより、アジテータ軸２０に取り付けられている。
【００８０】
これによって、搬送ギヤ６１は、本体ケーシング２内に備えられる本体カップリング（図示せず）からの駆動力が、入力ギヤ４５およびアイドルギヤ４８を介して、アジテータギヤ４９に入力されると、アジテータ軸２０とともに左側面視時計方向に回転される。
（２−３−２）搬送ガイド
搬送ガイド６２は、図２および図３に示すように、ギヤカバー３７のカバープレート４０の右側面（内側面）に設けられている。搬送ガイド６２は、外側ガイド６８と内側ガイド６９とを備えている。
【００８１】
外側ガイド６８は、カバープレート４０の右側面（内側面）から、右方へ突出する板壁から形成されている。外側ガイド６８は、カバープレート４０の前端部において、上端部から、カバープレート４０の前上角部に沿って、前方に向かうに従って下方へ延び、次いで、カバープレート４０の前端縁に沿って、下方へ延び、さらに、カバープレート４０の前下角部に沿って、下方に向かうに従って後方へ湾曲し、その後、カバープレート４０の下端縁に沿って、カバープレート４０の前後方向中央まで後方へ延びるように、設けられている。
【００８２】
内側ガイド６９は、カバープレート４０の右側面（内側面）から、右方へ突出する板壁から形成されている。内側ガイド６９は、カバープレート４０の下端部において、カバープレート４０の下端縁に沿って延びる外側ガイド６８と平行するように、その外側ガイド６８の上方に、情報付加ベルト６４が通過可能な間隔を隔てて、前後方向に沿って設けられている。内側ガイド６９の前端部は、カバープレート４０の前下角部において湾曲する外側ガイド６８と平行するように、前方に向かうに従って上方へやや湾曲している。
【００８３】
搬送ガイド６２は、左右方向において、左側の側壁３５とカバープレート４０の右側面（内側面）との間に配置され、後述するように、情報付加ベルト６４の移動を案内する。
（２−３−２）ベルト収容部
ベルト収容部６３は、入力ギヤ４５およびアジテータギヤ４９の下方における、左側の側壁３５とカバープレート４０の右側面（内側面）との間の空間として区画されている。
ベルト収容部６３は、後述するように、搬送ギヤ６１の搬送歯６６と情報付加ベルト６４の被係合部７６との接触が解除される接触解除位置（図６（ｂ）参照）に対して、情報付加ベルト６４の移動方向（以下、単に移動方向とする場合がある。）の下流側となるように配置されている。
【００８４】
これによって、ベルト収容部６３は、後述するように、情報付加ベルト６４の移動が終了したときに、情報付加ベルト６４の移動方向の下流側部分を収容する。
（２−３−３）情報付加ベルト
情報付加ベルト６４は、図４に示すように、例えば、ポリエチレンテレフタレートや、ポリプロピレンなどの樹脂などからなる可撓性を有するシートから形成されている。情報付加ベルト６４は、長尺部材の一例としてのベルト部７１と、被検知部の一例としての情報部７２とを一体的に備えている。
【００８５】
ベルト部７１は、長尺状の平帯形状に形成されている。具体的には、ベルト部７１は、情報付加ベルト６４の移動が終了したときに、情報付加ベルト６４の移動方向の上流側端部が接触解除位置（図６（ｂ）参照）に位置され、情報付加ベルト６４の移動方向の下流側端部がベルト収容部６３に収容されるような、長尺状の平帯形状に形成されている。
【００８６】
ベルト部７１には、ベルト部７１が延びる長尺方向（情報付加ベルト６４の移動方向）に互いに間隔を隔てて異なる位置に配置される複数の開口部７３が形成されている。複数の開口部７３は、ベルト部７１の左右方向中央において、ベルト部７１の厚み方向を貫通するように形成されており、第１開口部の一例としての搬送穴７４と、第２開口部の一例としての空転穴７５とに区分される。
【００８７】
搬送穴７４は、情報付加ベルト６４の移動範囲に対応して複数形成されており、具体的には、ベルト部７１において、情報付加ベルト６４の移動方向の下流側端部から、情報付加ベルト６４の移動が終了する移動方向の上流側近傍までの範囲において複数形成されている。複数の搬送穴７４は、互いに等間隔を隔てて形成され、複数の搬送穴７４のそれぞれは、後述するように、搬送歯６６の脱離が許容され、かつ、搬送ギヤ６１の空転が規制される大きさの平面視正方形状に形成されている。
【００８８】
空転穴７５は、複数の搬送穴７４に対して移動方向の上流側、すなわち、情報付加ベルト６４の移動方向の上流側端部に１つ形成されている。空転穴７５は、後述するように、搬送歯６６の脱離が許容され、かつ、搬送ギヤ６１の空転が許容される大きさの平面視矩形状（移動方向に沿う長穴形状）に形成されている。
【００８９】
ベルト部７１において、開口部７３、すなわち、搬送穴７４および空転穴７５の移動方向の下流側端縁は、駆動受動部の一例としての被係合部７６として区画されている。
【００９０】
情報部７２は、ベルト部７１の右側端部から、ベルト部７１の長尺方向（移動方向）と直交する方向（外側方向）へ突出するように、設けられている。情報部７２は、移動方向長さの異なる側面視矩形状の情報ブロック８０が、移動方向に沿って、互いに間隔を隔てて、あるいは、互いに接触するようにして、パターンを形成するように設けられている。
【００９１】
具体的には、情報ブロック８０は、移動方向長さが相対的に長い側面視矩形状の第１情報ブロック８１と、移動方向長さが相対的に短い側面視矩形状の第２情報ブロック８２とを備えている。図４では、ベルト部７１の移動方向の上流側端部から下流側へ向かうに従って、まず、第１情報ブロック８１が配置され、次いで、１つの第２情報ブロック８２が単独で配置され、さらに、３つの第２情報ブロック８２が連続して配置されるパターンとして、情報ブロック８０が設けられている。
【００９２】
このような情報ブロック８０のパターンは、現像カートリッジ１２の情報、たとえば、トナー容量（高枚数印刷用、低枚数印刷用）、トナー色などの情報に対応して形成されている。
【００９３】
情報部７２は、ベルト部７１に対して折り曲げられた後、情報ブロック８０が上記したパターンとなるように、部分的に切り取られることにより、形成されている。
【００９４】
そして、情報付加ベルト６４は、現像カートリッジ１２が新品である場合、すなわち、現像カートリッジ１２の最初の使用開始前には、図３に示すように、その移動方向の下流側端部が、アジテータギヤ４９の左側において、移動方向の最下流側の搬送穴７４が搬送ギヤ６１の搬送歯６６と係合することなく、搬送歯６６の上方に離間して配置され、その移動方向の上流側端部が、挿通口５０から後方に突出するように露出され、その移動方向途中が、アイドルギヤ４８の大径ギヤ５７の右側において、外側ガイド６８に沿って、アイドルギヤ４８のスペーサ５８を周るように、上方から下方へ湾曲するように、側面視略Ｌ字形状に配置される。
３．本体ケーシングの詳細
本体ケーシング２内には、図５に示すように、情報部７２を検出するための検知機構８５と、図３に示すように、情報付加ベルト６４の移動方向の上流側端部に当接可能な接触部材の一例としての当接突起８７とが備えられている。
（３−１）検知機構
検知機構８５は、図５に示すように、検知部材の一例としての反射型の光学式センサ８６を備えている。
【００９５】
光学式センサ８６は、発光素子および受光素子を備えており、現像カートリッジ１２が本体ケーシング２に装着された状態において、検知窓４４と左側に間隔を隔てて対向する位置に設けられている。
【００９６】
光学式センサ８６は、後述するように、情報ブロック８０を検知窓４４を介して検知したときに、オン信号を出力する。
【００９７】
なお、光学式センサ８６には、マイクロコンピュータ（図示せず）が電気的に接続されている。
（３−２）当接突起
当接突起８７は、図３に示すように、前方に向かって延びる側面視矩形状に形成され、新品の現像カートリッジ１２が本体ケーシング２に装着されるときに、挿通口５０から露出する情報付加ベルト６４の移動方向の上流側端部と、装着方向（前方に向かう方向）と逆方向（後方に向かう方向）から対向して当接する位置に設けられている。
４．現像カートリッジの本体ケーシングに対する着脱動作、および、現像カートリッジの新品検知
（４−１）現像カートリッジの本体ケーシングに対する装着動作
新品の現像カートリッジ１２を本体ケーシング２（ドラムカートリッジ１１）に装着するには、フロントカバー４を開放して、現像カートリッジ１２を前側から挿入する（図１参照）。すると、図２および図３に示すように、挿通口５０から露出する情報付加ベルト６４の移動方向の上流側端部が、本体ケーシング２内の当接突起８７と前後方向において対向する。そして、さらに、現像カートリッジ１２を後方へ押し込むと、図５（ａ）に示すように、情報付加ベルト６４の移動方向の上流側端部が、当接突起８７と当接して、当接突起８７によって押圧されて前方に移動する。これによって、情報付加ベルト６４の移動方向の下流側端部は、移動方向の最下流側の搬送穴７４の被係合部７６と、搬送ギヤ６１の搬送歯６６との接触が開始されて互いに係合する位置（接触開始位置）まで、下方に移動される。搬送ギヤ６１の搬送歯６６が、移動方向の最下流側の搬送穴７４の被係合部７６と係合することにより、搬送ギヤ６１の回転による駆動力が、情報付加ベルト６４に伝達可能となる。
【００９８】
これによって、本体ケーシング２に対する現像カートリッジ１２の装着が完了する。
（４−２）現像カートリッジの新品検知動作
次いで、フロントカバー４を閉鎖すると、それに連動して、本体ケーシング２内に備えられる本体カップリング（図示せず）が、カップリング部５２の結合凹部５５に相対回転不能に挿入（係合または嵌合）される。
【００９９】
その後、プリンタ１のウォームアップ動作が開始される。ウォームアップ動作では、本体カップリング（図示せず）から入力ギヤ４５に駆動力が入力される。すると、上記したように、入力ギヤ４５から、現像ギヤ４６、供給ギヤ４７、アイドルギヤ４８およびアジテータギヤ４９に駆動力が伝達され、現像ローラ２２、供給ローラ２３およびアジテータ１９が回転される。また、それと同時に、アジテータギヤ４９に入力された駆動力により、搬送ギヤ６１が、アジテータ軸２０とともに回転される。
【０１００】
搬送ギヤ６１が回転すると、搬送歯６６が移動方向の最下流側の搬送穴７４の被係合部７６を下方に押圧するので、情報付加ベルト６４は、搬送ギヤ６１の回転に従動して、下方に移動される。
【０１０１】
すると、図５（ｂ）に示すように、接触開始位置に対して移動方向の下流側において、第１情報ブロック８１が検知窓４４を上下方向に沿って通過するので、そのときに、光学式センサ８６は、第１情報ブロック８１を検知して比較的長いオン信号を出力する。
【０１０２】
その後、図６（ａ）に示すように、搬送ギヤ６１の回転により、搬送歯６６が移動方向において、順次搬送穴７４の被係合部７６と係合して、情報付加ベルト６４は、外側ガイド６８の内面およびスペーサ５８の外周面に案内されながら、下方へ移動される。下方へ移動された情報付加ベルト６４の移動方向の下流側端部は、外側ガイド６８と内側ガイド６９との間に入り、それらに案内されながら後方へ湾曲され、ベルト収容部６３に至る。
【０１０３】
また、情報付加ベルト６４の移動に伴って、光学式センサ８６は、検知窓４４を介して、単独の第２情報ブロック８２を検知して、比較的短いオン信号を出力した後、連続する第２情報ブロック８２の最初の第２情報ブロック８２を検知して、オン信号を出力する。
【０１０４】
そして、図６（ｂ）に示すように、搬送ギヤ６１の回転により、搬送歯６６が空転穴７５に入り、その空転穴７５の被係合部７６を下方に押圧して、搬送歯６６と被係合部７６との係合が解除されると、その後、空転穴７５が移動方向に沿う長穴形状に形成されていることから（図４参照）、搬送ギヤ６１が回転しても、搬送歯６６が被係合部７６と係合せず、搬送ギヤ６１は空転される。これによって、情報付加ベルト６４は、その位置（接触解除位置）において移動が停止される。
【０１０５】
このとき、光学式センサ８６は、検知窓４４を介して、連続する第２情報ブロック８２の最後の第２情報ブロック８２を検知し、オン信号を出力している。
【０１０６】
すなわち、搬送ギヤ６１が空転穴７５によって空転することにより、連続する第２情報ブロック８２の最後の第２情報ブロック８２が光学式センサ８６により検知される位置で、情報付加ベルト６４の移動が終了する。
【０１０７】
また、情報付加ベルト６４の移動が終了したときには、情報付加ベルト６４の移動方向下流側部分が、ベルト収容部６３に収容される。
【０１０８】
これにより、光学式センサ８６は、まず、第１情報ブロック８１の検知により比較的長いオン信号を出力した後、オフされ（あるいはオフ信号が出力され）、その後、単独の第２情報ブロック８２の検知により比較的短いオン信号を出力した後、オフされ（あるいはオフ信号が出力され）、その後、連続する第２情報ブロック８２を検知し、そのまま、現像カートリッジ１２が本体ケーシング２に装着されている限り、オン信号を出力し続ける。
【０１０９】
このように、新品の現像カートリッジ１２が本体ケーシング２内に初めて装着されると、光学式センサ８６からオン信号が出力される。したがって、現像カートリッジ１２が本体ケーシング２に装着された後、光学式センサ８６からオン信号が出力された後、所定時間内にオフされる（あるいはオフ信号が出力される）場合には、マイクロコンピュータ（図示せず）によって、その現像カートリッジ１２が新品であると判別される。
【０１１０】
また、上記したオン信号のパターンは、現像カートリッジ１２の情報に対応しており、マイクロコンピュータ（図示せず）によって、この現像カートリッジ１２のトナー容量（高枚数印刷用、低枚数印刷用）、トナー色などが判別される。
【０１１１】
そして、光学式センサ８６は、現像カートリッジ１２が本体ケーシング２に装着されている限り、オン信号を出力し続けるが、現像カートリッジ１２が本体ケーシング２から離脱されると、第２情報ブロック８２が検知されないので、オン信号がオフされる（あるいはオフ信号が出力される）。これによって、マイクロコンピュータ（図示せず）は、本体ケーシング２に現像カートリッジ１２が装着されていないと判断する。
【０１１２】
その後、旧品の現像カートリッジ１２（本体ケーシング２内に一度は装着されたことがある現像カートリッジ１２）が本体ケーシング２に装着された場合には、光学式センサ８６は、再び第２情報ブロック８２を検知するが、プリンタ１のウォームアップ動作が開始されても、搬送ギヤ６１は空転するので、光学式センサ８６は、第２情報ブロック８２を検知し続ける。そのため、現像カートリッジ１２が本体ケーシング２に装着されている限り、オン信号を出力し続ける。これによって、マイクロコンピュータ（図示せず）は、その現像カートリッジ１２が旧品であると判断する。つまり、現像カートリッジ１２が本体ケーシング２に装着された後、光学式センサ８６からオン信号がオフされる（あるいはオフ信号が出力される）ことなく出力され続ける場合には、マイクロコンピュータ（図示せず）によって、その現像カートリッジ１２が旧品であると判別される。
５．作用効果
（１）このような現像カートリッジ１２によれば、情報部７２が、長尺状に形成されるベルト部７１に備えられているので、情報部７２が設けられる領域を長く確保できる。
【０１１３】
また、ベルト部７１には、搬送ギヤ６１の回転時において搬送歯６６と被係合部７６とが接触し、搬送ギヤ６１からの駆動力が伝達される。
【０１１４】
これにより、ベルト部７１が搬送ギヤ６１の回転に従動され、ベルト部７１の長い領域に設けられる情報部７２が光学式センサ８６により検知される。
【０１１５】
従って、情報部７２を現像カートリッジ１２の情報と対応するように設けておくことによって、簡易な構成でありながら、光学式センサ８６による検知結果に基づいて判別される現像カートリッジ１２の情報量の向上を図ることができる。
（２）また、搬送ギヤ６１の搬送歯６６とベルト部７１の被係合部７６とが互いに係合するので、搬送ギヤ６１の回転による駆動力を、ベルト部７１に確実に伝達することができる。
（３）また、この現像カートリッジ１２では、上記した接触解除位置に対して移動方向の下流側にベルト収容部６３が設けられているので、情報付加ベルト６４の移動方向の下流側部分が、情報付加ベルト６４の従動（移動）に伴って、ベルト収容部６３に順次収容される。
【０１１６】
しかるに、情報付加ベルト６４は、接触解除位置を通過した後、湾曲し搬送ギヤ６１と接触する場合がある。そうすると、情報付加ベルト６４と搬送ギヤ６１との接触により、搬送ギヤ６１の回転や情報付加ベルト６４の従動（移動）が阻害される場合がある。
【０１１７】
一方、上記のようにベルト収容部６３を設ければ、情報付加ベルト６４の移動方向の下流側部分がベルト収容部６３に順次収容されるので、情報付加ベルト６４が、接触解除位置を通過した後、搬送ギヤ６１と接触することを抑制できる。また、情報付加ベルト６４の移動方向の下流側部分がベルト収容部６３に収容されるので、情報付加ベルト６４の効率的な配置を確保でき、現像カートリッジ１２の小型化を図ることができる。
【０１１８】
とりわけ、搬送歯６６と被係合部７６とが互いに係合するので、情報付加ベルト６４は、搬送歯６６と被係合部７６との係合が可能となる剛性を有する。そのため、情報付加ベルト６４を、例えば、糸のように巻き取ることは困難である。その結果、情報付加ベルト６４をコンパクトに配置することが困難となり、現像カートリッジ１２の小型化を図ることが困難となる場合がある。
【０１１９】
一方、上記のようにベルト収容部６３を設ければ、情報付加ベルト６４の移動方向下流側部分がベルト収容部６３に収容され、情報付加ベルト６４の効率的な配置を確保できるので、搬送歯６６と被係合部７６とを互いに係合させることができながら、現像カートリッジ１２の小型化を図ることができる。
（４）また、情報部７２は、搬送歯６６と被係合部７６との接触が開始される接触開始位置に対して情報付加ベルト６４の移動方向の下流側において、光学式センサ８６に検知される。
【０１２０】
そのため、情報部７２と光学式センサ８６との相対的な位置精度の向上を図ることができるので、光学式センサ８６による情報部７２の検知精度の向上を図ることができる。
（５）また、情報部７２は、情報付加ベルト６４の移動方向に対して直交する方向へ突出するように形成され、移動方向に沿って、情報ブロック８０によりパターンを形成するように設けられている。
【０１２１】
そのため、情報部７２を光学式センサ８６に確実に検知させることができる。また、情報部７２が移動方向に沿って、情報ブロック８０によりパターンを形成するように設けられているので、現像カートリッジ１２の情報量のさらなる向上を図ることができる。
（６）また、情報部７２は、ベルト部７１と一体的に設けられ、ベルト部７１に対して折り曲げられることにより形成されている。
【０１２２】
そのため、情報部７２と情報付加ベルト６４とが別部材から形成される場合と比較して、部品点数の低減を図ることができるとともに、簡易な加工により情報部７２を形成することができる。
（７）また、このプリンタ１は、上記の現像カートリッジ１２と、現像カートリッジ１２が装着される本体ケーシング２とを備え、光学式センサ８６が、本体ケーシング２に設けられている。
【０１２３】
そのため、簡易な構成でありながら、現像カートリッジ１２の情報量の向上を図ることができ、かつ、その現像カートリッジ１２の情報を、本体ケーシング２に設けられている光学式センサ８６により検知させることができる。
【０１２４】
そのため、簡易な構成でありながら、光学式センサ８６による検知結果に基づいて判別される現像カートリッジ１２の情報量の向上を図ることができる。
（８）また、情報付加ベルト６４は、現像カートリッジ１２の最初の使用開始前は、搬送歯６６と被係合部７６とが離間するように配置されている。
【０１２５】
また、このプリンタ１は、現像カートリッジ１２が最初に使用されるために本体ケーシング２に装着されたときに、情報付加ベルト６４の上流側端部と当接し、情報付加ベルト６４を、搬送歯６６と被係合部７６とが接触するように移動させる当接突起８７を備えている。
【０１２６】
しかるに、現像カートリッジ１２の製造途中に現像カートリッジ１２の駆動検査を実施する場合、情報付加ベルト６４を、搬送ギヤ６１の搬送歯６６と情報付加ベルト６４の被係合部７６とが離間するように配置させる必要がある。一方、現像カートリッジ１２の最初の使用時においては、情報付加ベルト６４を、搬送歯６６と被係合部７６とが接触するように配置させる必要がある。
【０１２７】
そこで、現像カートリッジ１２の製造工程における駆動検査の後に、情報付加ベルト６４を移動させ、搬送歯６６と被係合部７６とが接触するように配置する必要があるが、そのように配置する工程を増やすと、現像カートリッジ１２の製造工程が煩雑となる。
【０１２８】
これに対して、当接突起８７を設ければ、現像カートリッジ１２が最初に使用されるために本体ケーシング２に装着されたときに、情報付加ベルト６４は、当接突起８７との当接により、搬送歯６６と被係合部７６とが接触するように移動される。
【０１２９】
そのため、現像カートリッジ１２の製造工程の煩雑化を抑制しながら、現像カートリッジ１２の駆動検査を実施することができる。
（９）また、搬送ギヤ６１は、情報付加ベルト６４の移動終了時において、搬送歯６６と被係合部７６との接触が解除され、空転する。
【０１３０】
そのため、情報付加ベルト６４が、その移動終了後、さらに移動することを抑制できる。そのため、情報付加ベルト６４の移動終了後において、情報部７２を、光学式センサ８６によって、第２情報ブロック８２が検知される位置に、確実に配置することができる。
（１０）また、ベルト部７１には、情報付加ベルト６４の移動方向の下流側端縁が被係合部７６として区画され、移動方向に互いに間隔を隔てて配置される複数の開口部７３が形成されている。複数の開口部７３は、搬送歯６６の離脱が許容され、搬送ギヤ６１の空転が規制される大きさに形成される複数の搬送穴７４と、複数の搬送穴７４に対して移動方向の上流側に配置され、搬送歯６６の離脱および搬送ギヤ６１の空転が許容される大きさに形成される空転穴７５とを備えている。
【０１３１】
これによって、情報付加ベルト６４は、複数の搬送穴７４のそれぞれに区画される被係合部７６と搬送歯６６とが接触したときに、搬送ギヤ６１から駆動力が伝達され、搬送歯６６が搬送穴７４から離脱されたときに、搬送ギヤ６１から駆動力の伝達が解除される。
【０１３２】
そのため、簡易な構成でありながら、情報付加ベルト６４を一定速度で搬送することができ、光学式センサ８６による情報部７２の検知精度の向上を図ることができる。
【０１３３】
また、情報付加ベルト６４には、複数の搬送穴７４に対して移動方向の上流側に、空転穴７５が形成されているので、情報付加ベルト６４が移動することにより、搬送ギヤ６１が空転穴７５と対向すると、搬送ギヤ６１は空転する。
【０１３４】
そのため、情報付加ベルト６４が、その移動終了後、さらに移動することを確実に抑制でき、情報付加ベルト６４の移動終了後において、情報部７２を、光学式センサ８６によって、第２情報ブロック８２が検知される位置に、確実に配置することができる。
（１１）また、搬送ギヤ６１が空転穴７５によって空転することにより、第２情報ブロック８２が光学式センサ８６により検知される位置で、情報付加ベルト６４の移動が終了する。
【０１３５】
そのため、光学式センサ８６は、現像カートリッジ１２が本体ケーシング２に装着されているときには、現像カートリッジ１２の新旧にかかわらず、オン信号を出力し続ける一方、現像カートリッジ１２が本体ケーシング２から離脱されているときには、オン信号がオフされ続ける。よって、そのようなオン信号またはオン信号のオフにより、マイクロコンピュータは、本体ケーシング２に、現像カートリッジ１２が装着されているか否かを、判別することができる。
６．変形例
（１）上記の実施形態では、搬送ギヤ６１の搬送歯６６と、情報付加ベルト６４の開口部７３に区画される被係合部７６との係合により、搬送ギヤ６１の回転による駆動力を情報付加ベルト６４に伝達している。
【０１３６】
しかし、駆動力の伝達方法は、上記に限るものではなく、たとえば、搬送ギヤ６１において、搬送歯６６を設けずに、筒部６５を大径に形成するとともに、その外周面に、摩擦抵抗の高い摩擦面を設ける一方、情報付加ベルト６４において、開口部７３を設けずに、筒部６５と接触する下面（内側面）にも、摩擦抵抗の高い摩擦面を設けて、それら、筒部６５の摩擦面と、情報付加ベルト６４の摩擦面との摩擦接触により、搬送ギヤ６１の回転による駆動力を情報付加ベルト６４に伝達することもできる。
【０１３７】
なお、この場合には、筒部６５の摩擦面が、駆動伝達部を構成し、情報付加ベルト６４の摩擦面が、長尺方向に連続し、複数の駆動受動部を構成する。
【０１３８】
また、摩擦面は、筒部６５および情報付加ベルト６４のいずれか一方のみに形成することもできる。この場合には、筒部６５および情報付加ベルト６４のいずれか一方の摩擦面と、その摩擦面と接触する他方の筒部６５または情報付加ベルト６４の接触部分とが、駆動伝達部および複数の駆動受動部を構成する。
【０１３９】
また、駆動伝達方法は、スプロケットを駆動伝達部として構成し、チェーンを長尺部材として、そのチェーンのリンクを駆動受動部として構成することもできる。
（２）また、上記の実施形態では、情報部７２を、ベルト部７１に対して折り曲げた後、情報ブロック８０が上記したパターンとなるように、部分的に切り取ることにより形成している。
【０１４０】
しかし、情報部７２は、たとえば、予め情報ブロック８０のパターンとして、ベルト部７１とは別部材として準備し、それを、ベルト部７１に取り付けることもできる。
（３）さらに、上記の実施形態では、情報ブロック８０を第１情報ブロック８１と第２情報ブロック８２とから形成しているが、情報ブロック８０のサイズは、１種類または３種類以上であってもよく、また、情報ブロック８０の形状も、装置構成に応じて、側面視半円形状、正方形状、三角形状など、適宜選択することができる。
（４）また、上記の実施形態では、情報付加ベルト６４において、情報部７２を、ベルト部７１から直交する方向に突出するように設けている。
【０１４１】
しかし、たとえば、情報部７２を、印刷などによって、ベルト部７１の表面に直接設けることもでき、さらには、開口部７３を、情報部７２とすることもできる。
（５）また、上記の実施形態では、検知機構８５として、光学式センサ８６を採用しているが、たとえば、本体ケーシング２に、情報部７２に対して、当接および当接解除されるように搖動可能な検知レバーなどのアクチュエータを設けて、そのアクチュエータの搖動によって、情報部７２を検知することもできる。その場合には、アクチュエータの搖動を、さらに、光学式センサまたはレベルスイッチなどによって検知し、オン信号を出力する。
（６）また、上記の実施形態では、光学式センサ８６からオン信号が出力された後、所定時間内にオフされた（あるいはオフ信号が出力された）場合には、その現像カートリッジ１２が新品であると判別され、光学式センサ８６からオン信号がオフされる（あるいはオフ信号が出力される）ことなく出力され続ける場合には、その現像カートリッジ１２が旧品であると判別される。
【０１４２】
しかし、たとえば、オン信号とオフ信号とのパターンは適宜変更することもできる。
【０１４３】
具体的には、光学式センサ８６からオフ信号が出力された後、所定時間内にオン信号が出力された場合に、その現像カートリッジ１２が新品であると判別され、光学式センサ８６からオン信号が出力されることなく、オフ信号が出力され続ける場合に、その現像カートリッジ１２が旧品であると判別させることもできる。
（７）また、上記の実施形態では、現像カートリッジ１２は、ドラムカートリッジ１１に着脱自在に装着されるが、たとえば、ドラムカートリッジ１１と一体として構成することもできる。なお、この場合には、現像カートリッジ１２とドラムカートリッジ１１とを一体的に備えるプロセスカートリッジ１０が、カートリッジの一例として対応する。
【０１４４】
また、現像カートリッジ１２は、現像ローラ２２を有するフレームに対し、トナーが収容されるトナーカートリッジが着脱自在に装着されるように構成することもできる。
【符号の説明】
【０１４５】
１        プリンタ
２        本体ケーシング
１２      現像カートリッジ
６１      搬送ギヤ
６３      ベルト収容部
６４      情報付加ベルト
６６      搬送歯
７２      情報部
７３      開口部
７４      搬送穴
７５      空転穴
７６      被係合部
８６      光学式センサ
８７      当接突起
【図１】
2014071260.tif 000003
【図２】
2014071260.tif 000004
【図３】
2014071260.tif 000005
【図４】
2014071260.tif 000006
【図５】
2014071260.tif 000007
【図６】
2014071260.tif 000008